(57)【要約】【課題】撮影待機状態において、撮影者が被写体の複数領域の明るさを確認する際の利便性を向上させる。【解決手段】撮影待機状態で表示するスルー画像１００に、画面内の分割領域（測光エリア等）３１ａ〜３１ｅの各々の明るさの分布状態を示すヒストグラム４１ａ〜４１ｅ（ａ）や、画面内の互いに離間する複数領域（フォーカス検出エリア等）５１ａ，５１ｂ，５１ｃの各々の明るさを示すＥＶ値を同時に表示させる（ｂ）。【選択図】      図４
2008236534.tif 000002
【特許請求の範囲】
【請求項１】
撮像素子により撮像した画像を表示手段に表示するとともに、撮影時には前記画像を画像データとして記録手段に記録するデジタルカメラにおいて、
前記撮像素子により撮像された画像の複数領域の明るさをそれぞれ示す所定の明るさ情報を取得する情報取得手段と、
この情報取得手段により取得された複数領域の明るさ情報を、その複数領域に対応させた状態で前記画像に重畳させて前記表示手段に表示させる表示制御手段と
を備えたことを特徴とするデジタルカメラ。
【請求項２】
前記情報取得手段は、前記画像の複数領域における明るさの分布状態を示すヒストグラム情報を前記所定の明るさ情報として取得し、
前記表示制御手段は、前記情報取得手段により取得されたヒストグラム情報に基づくヒストグラムを、複数領域に対応させた状態で前記画像に重畳させて前記表示手段に表示させる
ことを特徴とする請求項１記載のデジタルカメラ。
【請求項３】
前記情報取得手段により取得されたヒストグラム情報に基づき、前記複数領域毎に黒つぶれ又は白とびの発生の有無を判断する判断手段をさらに備え、
前記表示制御手段は、前記判断手段によって黒つぶれ又は白とびが発生していると判断された領域の前記ヒストグラムを、前記判断手段によって黒つぶれ又は白とびが発生していないと判断された領域とは異なる形態で前記画像に重畳させて前記表示手段に表示させることを特徴とする請求項２記載のデジタルカメラ。
【請求項４】
被写体の明るさに基づき撮影時の露出値を自動的に制御する露出制御手段と、
この露出制御手段が制御目標とする撮影時の露出値を使用者の要求に応じて補正する露出補正手段と、
前記情報取得手段により取得されたヒストグラム情報に基づき、前記複数領域毎に黒つぶれ又は白とびの発生の有無を判断する判断手段と、
前記複数領域のうち前記判断手段によって黒つぶれ又は白とびが発生していると判断された領域毎に、当該領域の黒つぶれ又は白とびを解消するのに必要な露出補正値を演算する補正値演算手段と、
この補正値演算手段により演算された露出補正値を、前記判断手段によって黒つぶれ又は白とびが発生していると判断された領域に対応させた状態で前記画像に重畳させて前記表示手段に表示させる第２の表示制御手段と
を備えたことを特徴とする請求項１，２又は３記載のデジタルカメラ。
【請求項５】
前記表示制御手段は、前記情報取得手段により取得された明るさ情報によって示される前記複数領域の各々の明るさを表す数値を、複数領域に対応させた状態で前記画像に重畳させて前記表示手段に表示させる
ことを特徴とする請求項１記載のデジタルカメラ。
【請求項６】
前記情報取得手段は、前記画像を複数に分割した複数領域の明るさをそれぞれ示す所定の明るさ情報を取得することを特徴とする請求項１乃至５いずれか記載のデジタルカメラ。
【請求項７】
前記情報取得手段は、前記画像の互いに離間する複数領域の明るさをそれぞれ示す所定の明るさ情報を取得することを特徴とする請求項１乃至５いずれか記載のデジタルカメラ。
【請求項８】
前記情報取得手段は、前記撮像素子により撮像された画像における互いに離間する領域であって、フォーカス検出に使用される複数のフォーカス検出領域の明るさをそれぞれ示す所定の明るさ情報を取得することを特徴とする請求項７記載のデジタルカメラ。
【請求項９】
撮像素子により撮像した画像を表示手段に表示するとともに、撮影時には前記画像を画像データとして記録手段に記録するデジタルカメラにいて被写体の明るさに関する情報を表示する情報表示方法であって、
前記撮像素子により撮像された画像の複数領域の明るさをそれぞれ示す所定の明るさ情報を取得する工程と、
取得した複数領域の明るさ情報を、その複数領域に対応させた状態で前記画像に重畳させて前記表示手段に表示させる工程と
を含むことを特徴とする情報表示方法。
【請求項１０】
撮像素子により撮像した画像を表示手段に表示するとともに、撮影時には前記画像を画像データとして記録手段に記録するデジタルカメラが有するコンピュータに、
前記撮像素子により撮像された画像の複数領域の明るさをそれぞれ示す所定の明るさ情報を取得する手順と、
取得した複数領域の明るさ情報を、その複数領域に対応させた状態で前記画像に重畳させて前記表示手段に表示させる手順と
を実行させることを特徴とする情報表示制御プログラム。 
【発明の詳細な説明】
【技術分野】
【０００１】
本発明は、被写体の明るさに関する情報を画面表示するデジタルカメラ、及び情報表示方法、情報表示制御プログラムに関するものである。
【背景技術】
【０００２】
従来、ＣＣＤやＣＭＯＳなどの撮像素子により被写体を撮像し、撮像した画像をメモリカード等の記録媒体に記録するデジタルカメラにおいては、撮影時にビューファインダとして機能する画像表示用の液晶モニタを有するものが一般的である。係るデジタルカメラでは、通常、撮影（記録）モードが設定されているとき液晶モニタには被写体画像（以下、スルー画像）だけでなく被写体情報等が表示できるようになっており、必要に応じ画角内における明るさの分布（輝度別の画素数分布）を示すヒストグラムを表示できるものが多い。
【０００３】
これに関し、例えば下記特許文献１には、ユーザーがホワイトバランスの状態を客観的に確認できるように上記ヒストグラムをＲ，Ｇ，Ｂの色別に表示し、さらに画角内に設定した所定のヒストグラムターゲット領域（例えば人物の顔部分）のみの明るさ分布を表示する技術が記載されている。
【特許文献１】特開２００４−１７２８１７号公報
【発明の開示】
【発明が解決しようとする課題】
【０００４】
しかしながら、上記技術はユーザーに対して客観的なホワイトバランス情報を提供できる点においては有効ではあるが、ヒストグラムが色別であると否とに関係なく、以下のような問題があった。
【０００５】
すなわち上記技術では、ヒストグラムターゲット領域を変化させることができたとしても、撮影者が画角内の異なる複数領域についての明るさの状態を確認したい場合には、ヒストグラムターゲット領域をいちいち移動、若しくは変更する必要があるため、操作が煩雑であるとともに確認作業に時間がかかる。また、複数領域の明るさのバランスを確認したい場合には不便であるという問題があった。
【０００６】
本発明は、かかる従来の課題に鑑みてなされたものであり、撮影者が被写体の複数領域の明るさを確認する際の利便性を向上させるデジタルカメラ、及び情報表示方法、情報表示制御プログラムを提供することを目的とする。
【課題を解決するための手段】
【０００７】
前記課題を解決するため請求項１記載の発明に係るデジタルカメラにあっては、撮像素子により撮像した画像を表示手段に表示するとともに、撮影時には前記画像を画像データとして記録手段に記録するデジタルカメラにおいて、前記撮像素子により撮像された画像の複数領域の明るさをそれぞれ示す所定の明るさ情報を取得する情報取得手段と、この情報取得手段により取得された複数領域の明るさ情報を、その複数領域に対応させた状態で前記画像に重畳させて前記表示手段に表示させる表示制御手段とを備えたことを特徴とする。
【０００８】
また、請求項２記載の発明に係るデジタルカメラにあっては、前記情報取得手段は、前記画像の複数領域における明るさの分布状態を示すヒストグラム情報を前記所定の明るさ情報として取得し、前記表示制御手段は、前記情報取得手段により取得されたヒストグラム情報に基づくヒストグラムを、複数領域に対応させた状態で前記画像に重畳させて前記表示手段に表示させることを特徴とする。
【０００９】
また、請求項３記載の発明に係るデジタルカメラにあっては、前記情報取得手段により取得されたヒストグラム情報に基づき、前記複数領域毎に黒つぶれ又は白とびの発生の有無を判断する判断手段をさらに備え、前記表示制御手段は、前記判断手段によって黒つぶれ又は白とびが発生していると判断された領域の前記ヒストグラムを、前記判断手段によって黒つぶれ又は白とびが発生していないと判断された領域とは異なる形態で前記画像に重畳させて前記表示手段に表示させることを特徴とする。
【００１０】
また、請求項４記載の発明に係るデジタルカメラにあっては、被写体の明るさに基づき撮影時の露出値を自動的に制御する露出制御手段と、この露出制御手段が制御目標とする撮影時の露出値を使用者の要求に応じて補正する露出補正手段と、前記情報取得手段により取得されたヒストグラム情報に基づき、前記複数領域毎に黒つぶれ又は白とびの発生の有無を判断する判断手段と、前記複数領域のうち前記判断手段によって黒つぶれ又は白とびが発生していると判断された領域毎に、当該領域の黒つぶれ又は白とびを解消するのに必要な露出補正値を演算する補正値演算手段と、この補正値演算手段により演算された露出補正値を、前記判断手段によって黒つぶれ又は白とびが発生していると判断された領域に対応させた状態で前記画像に重畳させて前記表示手段に表示させる第２の表示制御手段とを備えたことを特徴とする。
【００１１】
また、請求項５記載の発明に係るデジタルカメラにあっては、前記表示制御手段は、前記情報取得手段により取得された明るさ情報によって示される前記複数領域の各々の明るさを表す数値を、複数領域に対応させた状態で前記画像に重畳させて前記表示手段に表示させることを特徴とする。
【００１２】
また、請求項６記載の発明に係るデジタルカメラにあっては、前記情報取得手段は、前記画像を複数に分割した複数領域の明るさをそれぞれ示す所定の明るさ情報を取得することを特徴とする。
【００１３】
また、請求項７記載の発明に係るデジタルカメラにあっては、前記情報取得手段は、前記画像の互いに離間する複数領域の明るさをそれぞれ示す所定の明るさ情報を取得することを特徴とする。
【００１４】
また、請求項８記載の発明に係るデジタルカメラにあっては、前記情報取得手段は、前記撮像素子により撮像された画像における互いに離間する領域であって、フォーカス検出に使用される複数のフォーカス検出領域の明るさをそれぞれ示す所定の明るさ情報を取得することを特徴とする。
【００１５】
また、請求項９記載の発明に係る情報表示方法にあっては、撮像素子により撮像した画像を表示手段に表示するとともに、撮影時には前記画像を画像データとして記録手段に記録するデジタルカメラにいて被写体の明るさに関する情報を表示する情報表示方法であって、前記撮像素子により撮像された画像の複数領域の明るさをそれぞれ示す所定の明るさ情報を取得する工程と、取得した複数領域の明るさ情報を、その複数領域に対応させた状態で前記画像に重畳させて前記表示手段に表示させる工程とを含むことを特徴とする。
【００１６】
また、請求項１０記載の発明に係る情報表示制御プログラムにあっては、撮像素子により撮像した画像を表示手段に表示するとともに、撮影時には前記画像を画像データとして記録手段に記録するデジタルカメラが有するコンピュータに、前記撮像素子により撮像された画像の複数領域の明るさをそれぞれ示す所定の明るさ情報を取得する手順と、取得した複数領域の明るさ情報を、その複数領域に対応させた状態で前記画像に重畳させて前記表示手段に表示させる手順とを実行させることを特徴とする。
【発明の効果】
【００１７】
以上のように本発明によれば、撮影待機状態において、撮影者が被写体の複数領域の明るさを確認する際の利便性を向上させることが可能となる。
【発明を実施するための最良の形態】
【００１８】
以下、本発明の一実施の形態を図にしたがって説明する。
（実施形態１）
図１は、本発明に係るデジタルカメラ１の電気的構成を示すブロック図である。デジタルカメラ１は、ＡＥ（自動露出）、及びＡＦ（オートフォーカス）機能を備えた一般的な基本構成を備えたものであって、システムの全体を制御するＣＰＵ２と、以下の各部から構成されている。
【００１９】
図においてレンズブロック３は、ズームレンズ及びフォーカスレンズを含む光学系の駆動機構を示したブロックであり、その駆動源であるモーター４の駆動を制御するためのモータードライバ５がバス６を介してＣＰＵ２と接続されている。そして、ＣＰＵ２からの制御信号に基づき上記光学系が光軸方向へ移動することによりズーム倍率調整、及びフォーカス調整が行われる。なお、図には示さないがレンズブロック３には、絞り、及びその開度をＣＰＵ２からの制御信号に基づき変化させるアクチュエータが含まれている。
【００２０】
デジタルカメラ１は撮像素子としてＣＣＤ７を有しており、ＣＣＤ７は、ＣＰＵ２の命令に従いタイミング発生器（ＴＧ：Timing Generator）８が生成するタイミング信号に基づき垂直／水平ドライバ９によって駆動され、上記光学系により結像された被写体の光学像を光電変換し、撮像信号としてアナログ信号処理部１０に出力する。
【００２１】
アナログ信号処理部１０は、ＣＣＤ７の出力信号に含まれるノイズを相関二重サンプリングによって除去するＣＤＳ回路や、ノイズが除去された撮像信号をデジタル信号に変換するＡ／Ｄ変換器、ゲイン調整アンプ等から構成され、デジタルに変換した撮像信号を画像処理部１１へ出力する。
【００２２】
画像処理部１１は、入力した撮像データ（ベイヤデータ）から画素補間、及び画素毎のＲＧＢデータ（ＲＡＷデータ）の生成を行った後、それを輝度（Ｙ）、及び色差（Ｃｂ，Ｃｒ）の各データからなるＹＵＶデータに変換する。その際、ＣＰＵ２の指令に従いＣｂ，Ｃｒ（Ｒ，Ｂデータでもよい。）のゲイン調整によるホワイトバランス調整などのデジタル信号処理を行う。
【００２３】
さらに画像処理部１１は、後述する明るさ確認モードが設定されているときには、ＣＰＵ２の指令に応じて、ＹＵＶデータにおける画素毎の輝度情報に基づき輝度レベル別の画素数の分布状態、つまり画像における明るさの分布状態を示すヒストグラムデータ（詳細については後述する。）を取得し、それをＣＰＵ２へ送り本発明の情報取得手段として機能する。
【００２４】
一方、撮影用の記録モードにおいて画像処理部１１で生成されたＹＵＶデータは順次ＳＤＲＡＭ１２に格納され、１フレーム分のデータ（画像データ）が蓄積される毎にビデオ信号に変換された後、本発明の表示手段である液晶モニタ（ＬＣＤ）１３においてスルー画像として表示される。
【００２５】
また、シャッターキーが押された撮影時には、ＳＤＲＡＭ１２に一時記憶された画像データ（ＹＵＶデータ）がＣＰＵ２により圧縮されてＳＤＲＡＭ１２内のバッファ領域にいったん蓄積された後、最終的にはＪＰＥＧ等の所定のフォーマットの画像ファイルとして外部メモリ１４に記録される。
【００２６】
なお、外部メモリ１４は図示しないカードインターフェイスを介して接続されたカメラ本体に着脱自在なメモリカードである。外部メモリ１４に記録された画像ファイルは、再生モードにおいてユーザーの選択操作に応じてＣＰＵ２に読み出されるとともに伸張され、ＹＵＶデータとしてＳＤＲＡＭ１２に展開された後、液晶モニタ１３において表示される。
【００２７】
フラッシュメモリ１５は上記外部メモリ１４と共に本発明の記録手段を構成しており、フラッシュメモリ１５には、外部メモリ１４（メモリカード）が装着されていない状態で撮影された画像のファイルが記憶される画像記憶領域と、デジタルカメラ１の動作に必要な各種のプログラムが記憶されたプログラム領域とが確保されている。
【００２８】
そして、前記ＣＰＵ２は、上記プログラム領域に記憶された各種のプログラムに基づき前述した各部の制御や、ＡＥ制御、ＡＦ制御等を行うことにより、本発明の情報取得手段、表示制御手段、露出制御手段、露出補正手段として機能する。
【００２９】
なお、フラッシュメモリ１５のプログラム領域には、ＣＰＵ２のＡＥ制御に際して使用されるプログラム線図等の各種のデータも記憶されているとともに、ユーザーによる設定操作に応じ、または自動的に設定されたデジタルカメラ１の動作に関する各種の設定データも記憶されている。
【００３０】
キー入力部１６は、電源キーやシャッターキー、モード切替スイッチ、メニューキー、ディスプレーキー、コントロールキー、セットキー等の各操作キーから構成される。コントロールキーは上下左右の４方向が指示可能なデジタルカメラにおいて一般的に設けられているキーであり、前記メニューキーの押下により液晶モニタ１３に表示されるメニュー画面での設定項目や設定内容の選択に使用される。前記セットキーは、設定項目や設定内容の選択状態の確定等に使用される。キー入力部１６におけるキー操作状態はＣＰＵ２によって逐次スキャンされており、ユーザーによっていずれかの操作キーが操作されると、その操作内容がＣＰＵ２によって検出される。
【００３１】
次に、以上の構成からなるデジタルカメラ１の動作について説明する。図２は、デジタルカメラ１に記録モードの下位モードとして設けられている明るさ確認機能付きの記録モード（以下、明るさ確認モードという）がユーザーによって選択された場合にＣＰＵ２が実行する、本発明に係る処理の内容を示したフローチャートである。
【００３２】
図示したように、ＣＰＵ２は明るさ確認モードの設定に伴いＡＥ制御及びＡＦ制御を開始する（ステップＳ１）。ここで、明るさ確認モードで行うＡＥ制御は、画角内を図３（ａ）に示したような複数の測光エリア（分割領域）３１ａ〜３１ｅに分割し、分割した測光エリア毎に明るさ（輝度）を検出し、その検出結果に基づき適正露出を決定するマルチパターン測光方式である。
【００３３】
また、ＡＦ制御は、ＣＣＤ７から出力される撮像信号における高周波数成分の量を一定期間（例えば１フィールド期間）積分するとともに、その値をＡＦ評価値とし、それが最も大きくなる位置にフォーカスレンズを移動させることによりピント合わせを行うコントラストＡＦ方式である。但し、その際には、上記ＡＦ評価値と並行して、画角内の複数ヶ所に決められている図３（ｂ）に示した複数のフォーカス検出エリア３２ａ〜３２ｅ毎のＡＦ評価値を並行して取得し、それが最も大きくなっていたフォーカスレンズ位置をエリア別に記憶する。なお、フォーカス検出エリア３２ａ〜３２ｅは、明るさ確認モード以外のモードによる撮影時においてはユーザーがそれらの内のいずれかを選択することができるエリアであり、その場合のＡＦ制御では、選択されたエリアのみを対象として前述したＡＦ評価値が取得される。
【００３４】
そして、ＣＰＵ２は、ＡＥ制御及びＡＦ制御を開始した後（実際には同時に）、ＣＣＤ７による撮像動作を開始し、所定のスルーレート（例えば３０フレーム／秒）による撮像タイミングが到来する毎に（ステップＳ２でＹＥＳ）、撮像処理（被写体画像の取り込み）を行い（ステップＳ３）、取り込んだ被写体画像をスルー画像として液晶モニタ１３に表示させる（ステップＳ４）。
【００３５】
引き続き、その時点で、前記フラッシュメモリ１５のプログラム領域に動作パラメータとして記憶されているとともに、スルー画像上に表示すべき明るさ情報の種類を確認する（ステップＳ５）。本実施形態において、この明るさ情報の種類は「ヒストグラム」と「ＥＶ値」の２種類であり、初期値として「ヒストグラム」が記憶されている。
【００３６】
そして、動作開始当初のように明るさ情報の種類が「ヒストグラム」であるときには（ステップＳ５でＹＥＳ）、前記画像処理部１１によって前述した測光エリア３１ａ〜３１ｅ毎にヒストグラムデータを取得する（ステップＳ６）。すなわち、各測光エリア３１ａ〜３１ｅについて、そのエリア内の全画素の輝度値を確認し、輝度別の画素数を取得する。しかる後、液晶モニタ１３に表示しているスルー画像上であって、各測光エリア３１ａ〜３１ｅと対応する所定位置に、上記ヒストグラムデータに基づく測光エリア毎のヒストグラムを表示させる（ステップＳ７）。なお、ヒストグラム４１の表示は周知のＯＳＤ機能によって行う。
【００３７】
図４（ａ）は、スルー画像１００上に、測光エリア毎のヒストグラム４１ａ〜４１ｅが表示された状態の一例を示した図である。本実施形態では、ヒストグラム４１ａ〜４１ｅの表示に際し、図示したようにスルー画像１００に測光エリア３１ａ〜３１ｅを示す区画線（図で破線）を表示するとともに、各エリアの下方側にヒストグラム４１ａ〜４１ｅを表示する。なお、実際のヒストグラム４１ａ〜４１ｅの表示は、それらを半透明状態としてスルー画像１００（被写体）の視認性を確保する。これによりユーザーつまり撮影者は、明るさを知りたい領域をいちいち切り替える作業を行うことなく、画角内の異なる領域についての明るさの分布状態を同時に確認することができる。
【００３８】
以後、ＣＰＵ２は、フレームタイミングが到来する毎に（ステップＳ２でＹＥＳ）、ステップＳ３〜Ｓ７の処理を繰り返すことにより、スルー画像１００及びヒストグラム４１ａ〜４１ｅを更新する。
【００３９】
その間、つまり撮影待機状態においては、撮影者による前述した明るさ情報の切り替え、及びＥＶシフト（ＡＥ制御されている露出値の手動補正）が可能となっており、ＣＰＵ２は、所定のキー操作によるＥＶシフト操作があれば（ステップＳ８でＹＥＳ）、それに応じてＡＥ制御により決定している露出値（ＥＶ値）を予め決められている許容範囲内（例えば−２．０ＥＶ〜＋２．０ＥＶ）で補正する（ステップＳ９）。また、このときには、その補正結果を画像処理部１１において生成されるＹＵＶデータに反映させる。
【００４０】
しかる後、前述したステップＳ５〜ステップＳ７の処理により、前述したスルー画像１００内のヒストグラム４１ａ〜４１ｅを更新する。これにより、撮影者によってプラス側へのＥＶシフトが行われた場合には、各ヒストグラム４１ａ〜４１ｅにおける明るさの分布域が右側へ移動し、逆にマイナス側へのＥＶシフトが行われたときには、それが左側へ移動することとなる。
【００４１】
したがって、撮影者は測光エリア毎のヒストグラム４１ａ〜４１ｅを見比べながらＥＶ補正を行うことにより、例えば画角内（被写体内）で自分が重要と考える領域の明るさだけでなく、その領域と他の領域との明るさのバランスをも勘案したＥＶ補正を行うことができる。また、明るさを知りたい領域をいちいち切り替える作業が不要であるため、シャッターチャンスを逃すことなく所望するイメージの画像を得ることができる。
【００４２】
また、ＣＰＵ２は、上述したようにスルー画像１００及びヒストグラム４１ａ〜４１ｅを逐次更新している撮影待機状態で、撮影者による前述した明るさ情報の切り替え操作があった場合には（ステップＳ２，Ｓ８が共にＮＯ、ステップＳ１０でＹＥＳ）、明るさ情報の設定を「ヒストグラム」から「ＥＶ値」に切り替える（ステップＳ１１）。
【００４３】
この場合、前述したステップＳ５の判別結果はＮＯとなるため、前述した複数のフォーカス検出エリア３２ａ〜３２ｅ（図３（ｂ））のうちでピントが合っていると判断できるエリア、つまりＡＦ制御において取得されているフォーカスレンズ位置が、その時点で実際に制御されているフォーカスレンズ位置とほぼ等しい（差が閾値内である）フォーカス検出エリアに対応する特定領域の輝度情報に基づき、そのときの絞り値や、ＣＣＤ７の露光時間、撮像信号のゲイン（ＩＳＯ感度に相当する）から上記特定領域の明るさを示すＥＶ値を演算する（ステップＳ１２）。しかる後、演算したＥＶ値を現在使用中のフォーカス検出エリアを示すフォーカスフレームと共にスルー画像上に表示させる（ステップＳ１３）。
【００４４】
図４（ｂ）は、図３（ｂ）に示した３箇所のフォーカス検出エリア３２ｃ〜３２ｅにピントが合っている場合の液晶モニタ１３における表示画面を例示した図であって、この場合、図示したように、上記フォーカス検出エリア３２ｃ〜３２ｅを示すフォーカスフレーム５１ａ〜５１ｃと、各々のフォーカス検出エリアについてのＥＶ値がスルー画像１００上に表示される。なお、フォーカスフレーム５１ａ〜５１ｃ及びＥＶ値もヒストグラムと同様にＯＳＤ機能により表示する。
【００４５】
以後、ＣＰＵ２は、フレームタイミングが到来する毎に（ステップＳ２でＹＥＳ）、ステップＳ３〜Ｓ５，Ｓ１２，Ｓ１３の処理により、スルー画像１００、及びそれに重ねて表示するフォーカスフレームとＥＶ値を更新する。これにより撮影者は、明るさを知りたい領域をいちいち切り替える作業を行うことなく、画角内の異なる領域についての明るさの分布状態を同時に確認することができる。
【００４６】
そして、係る撮影待機状態においても、撮影者によるＥＶシフト操作があれば、それに応じてＡＥ制御により決定している露出値（ＥＶ値）で補正し、その補正結果を画像処理部１１において生成されるＹＵＶデータに反映させる（ステップＳ８でＹＥＳ、ステップＳ９）。
【００４７】
したがって、撮影者はフォーカスフレーム５１ａ〜５１ｃが表示されている複数領域のＥＶ値を見比べながらＥＶ補正を行うことにより、例えば画角内（被写体内）で自分が重要と考える領域の明るさだけでなく、その領域と他の領域との明るさのバランスをも勘案したＥＶ補正を行うことができる。また、明るさを知りたい領域をいちいち切り替える作業が不要であるため、シャッターチャンスを逃すことなく所望するイメージの画像を得ることができる。
【００４８】
以後、ＣＰＵ２は上述した処理を繰り返すことにより、撮影者によって明るさ情報の切り替え操作がある毎に、スルー画像１００上に表示する明るさ情報をヒストグラムとＥＶ値とに切り替え、また、ＥＶシフト操作に応じてＡＥ制御による露出値（ＥＶ値）を補正する。
【００４９】
以上のように本実施形態おいては、前述した明るさ確認モードを用いることにより、撮影者は煩雑な操作を強いられることなく、被写体の複数領域についての明るさを容易に確認することができる。
【００５０】
（実施形態２）
次に、本発明の第２の実施形態について説明する。本実施形態は、前述した明るさ確認モードにおいて、ＣＰＵ２が、前述した図２のステップＳ７の処理に代えて、図５に示した処理を行うことにより、特に本発明の判断手段、補正値演算手段、第２の表示制御手段として機能することにより、スルー画像上に、図６に示したようなヒストグラム４１ａ〜４１ｅや注意メッセージ５１、オススメＥＶ補正値５２を表示させるものである。
【００５１】
すなわち本実施形態では、図５に示したように、前述したステップＳ６で前記画像処理部１１によって測光エリア３１ａ〜３１ｅ毎にヒストグラムデータを取得した後には、測光エリア毎に以下の処理を行う。
【００５２】
まず、上記ヒストグラムデータに基づき、その測光エリアについて「白とび」又は「黒つぶれ」の有無を順に確認し、「白とび」が生じているときには（ステップＳ７０１でＹＥＳ）、液晶モニタ１３に表示しているスルー画像上の当該測光エリアに、上記ヒストグラムデータに基づくヒストグラムを背景色を「白」にした状態で表示させ（ステップＳ７０２）、さらに、「白とび」が生じていることを撮影者に知らせる注意メッセージ５１を表示させる（ステップＳ７０３）。
【００５３】
引き続き、当該測光エリアにおける白とびを無くす（解消する）ために必要なＥＶ補正値を演算し（ステップＳ７０４）、その演算結果をオススメＥＶ補正値５１として、前記注意メッセージ等と共に表示させる（ステップＳ７０５）。
【００５４】
また、「黒つぶれ」が生じているときには（ステップＳ７０１でＮＯ、ステップＳ７０６でＹＥＳ）、液晶モニタ１３に表示しているスルー画像上の当該測光エリアに、上記ヒストグラムデータに基づくヒストグラムを背景色を「茶色」にした状態で表示させ（ステップＳ７０７）、さらに、「黒つぶれ」が生じていることを撮影者に知らせる注意メッセージ５１を表示させる（ステップＳ７０８）。
【００５５】
引き続き、当該測光エリアにおける「黒つぶれ」を無くす（解消する）ために必要なＥＶ補正値を演算し（ステップＳ７０９）、その演算結果をオススメＥＶ補正値５２として、前記注意メッセージ等と共に表示させる（ステップＳ７０４）。
【００５６】
また、「白とび」も「黒つぶれ」も生じていないときには（ステップＳ７０１，Ｓ７０６が共にＮＯ）、液晶モニタ１３に表示しているスルー画像上の当該測光エリアに、上記ヒストグラムデータに基づくヒストグラムを背景色を「中間色」（例えば白と茶色の間の明るさの灰色）にした状態で表示させる（ステップＳ７１０）。
【００５７】
そして、以上の処理を全ての測光エリアについて繰り返し行い、それが終了したら、前述した図２のステップＳ２へ戻る。
【００５８】
図６は、上記処理に伴い、前述した明るさ情報の種類として「ヒストグラム」が設定されているときスルー画像１００上に表示される、測光エリア毎のヒストグラム４１ａ〜４１ｅ等を便宜的に示した図であって、スルー画像を省略した状態の図４（ａ）に対応する図である。
【００５９】
これにより撮影者は、明るさを知りたい領域をいちいち切り替える作業を行うことなく、画角内の異なる領域についての明るさの分布状態を同時に確認できるだけでなく、「白とび」又は「黒つぶれ」が生じている領域を、それ以外のヒストグラムとの背景色の違いによって瞬時に把握することができる。
【００６０】
また、「白とび」又は「黒つぶれ」が生じている領域についてはオススメＥＶ補正値５２も表示されるため、撮影者が露出補正に関する詳しい知識を有していない場合であっても、その領域に適した露出補正を容易に行うことができる。しかも、本実施形態では前述した注意メッセージ５１を表示することにより、デジタルカメラ１に不慣れなユーザーにも「白とび」又は「黒つぶれ」が生じている領域の存在を確実に知らせることができる。
【００６１】
なお、本実施形態においては、「白とび」が生じている測光エリアのヒストグラムの背景色と、「黒つぶれ」が生じている測光エリアのヒストグラムの背景色を異なる色とすることにより、撮影者がそれらの違いを直感的に知ることができるようにしたが、例えば双方のヒストグラムの背景色を同じ色としてもよい。要するに「白とび」又は「黒つぶれ」が生じている測光エリアのヒストグラムと、それ以外の測光エリアのヒストグラムとを異なる形態で表示させればよい。その場合であっても、少なくとも「白とび」又は「黒つぶれ」が生じている領域を直感的に知ることができるという点においては、第１の実施形態に比べると使い勝手がよい。
【００６２】
ここで、本発明は上述した第１及び第２の実施形態で示したものに限定されるものではなく、以下のようにしてもよい。
【００６３】
すなわち本実施形態とは異なり、例えばスルー画像上に表示する明るさ情報の種類がヒストグラムに設定されているとき、画像内のフォーカス検出エリア３２ａ〜３２ｅの明るさ分布を示すヒストグラムをスルー画像上に表示し、かつスルー画像上に表示すべき明るさ情報の種類がＥＶ値に設定されているとき、各々の測光エリア３１ａ〜３１ｅの明るさを示すＥＶ値を表示させてもよい。
【００６４】
また、フォーカス検出エリア３２ａ〜３２ｅ毎のＥＶ値やヒストグラムをスルー画像上に表示する際には、ピントが合っていると判断できるフォーカス検出エリアだけでなく、全てのフォーカス検出エリア３２ａ〜３２ｅについて、それぞれのＥＶ値やヒストグラムを表示させてもよい。
【００６５】
また、測光エリア３１ａ〜３１ｅやフォーカス検出エリア３２ａ〜３２ｅといった被写体の複数領域の明るさをヒストグラムやＥＶ値として表示させたが、明るさに関する情報であればそれ以外の情報（明るさ情報）をスルー画像上に表示させるようにしてもよい。例えば、ヒストグラムの横軸に相当するゲージ上に、上記の各エリアに対応する被写体の複数領域の明るさ（平均輝度等）を示すマークを表示させてもよい。
【００６６】
また、明るさ確認モードで行うＡＦ制御については、前述したように画像全域を対象として取得したＡＦ評価値に基づき行うのではなく、例えば図３（ｂ）に示した複数のフォーカス検出エリア３２ａ〜３２ｅのみを対象として取得したＡＦ評価値に基づき行うようにしてもよい。
【００６７】
さらに、複数の測光エリア３１ａ〜３１ｅや、複数のフォーカス検出エリア３２ａ〜３２ｅについてのＥＶ値をスルー画像上に表示する際には、以下のようにしてもよい。
【００６８】
例えば図７に示したように、ＥＶ値を表示するエリア（フォーカスフレーム５１ａ〜５１ｃ）毎に、実際の撮影に際して当該エリア内の被写体部分について適切な階調表現を得ることができる撮影パラメータ、すなわちＩＯＳ感度、Ｆ値（絞り値）、シャッター速度の組合せを示す撮影条件テーブル２０１を前記ＥＶ値と共に表示させる。そして、撮影者が所定のキー操作を行うことにより、所望するエリアの撮影条件テーブル２０１において、そこに示された複数の撮影条件（撮影パラメータの組合せ）の中から撮影に使用する撮影条件を選択できるようにしてもよい。
【００６９】
なお、図７は、前述した実施形態の変形例を示す、スルー画像を省略した状態の図４（ｂ）に対応する図であって、画面内の右下のフォーカス検出エリア（５１ｃ）の撮影条件テーブル２０１に示されている中のある撮影条件（ＩＳＯ感度：２００、Ｆ値：２．８、シャッター速度：１／２０００）が選択されている状態を示した例である。
【００７０】
また、以上の説明においては本発明を一般的なデジタルカメラ１に適用する場合について述べたが、本発明は、当然、携帯電話端末等の他の情報機器に内蔵されたデジタルカメラにも適用可能である。
【図面の簡単な説明】
【００７１】
【図１】本発明の各実施形態に共通するデジタルカメラのブロック図である。
【図２】第１の実施形態におけるＣＰＵの本発明に係る処理内容を示すフローチャートである。
【図３】（ａ）は、ＡＥ制御時の測光エリアを示す図、（ｂ）は、ＡＦ制御時のフォーカス検出エリアを示す図である。
【図４】明るさ確認モードにおける液晶モニタの表示画面の一例を示す図である。
【図５】第２の実施形態におけるＣＰＵの本発明に係る処理内容を示すフローチャートである。
【図６】同実施形態における液晶モニタの表示画面の一例を示す、図４（ａ）に対応する図である。
【図７】変形例における液晶モニタの表示画面の一例を示す、図４（ｂ）に対応する図である。
【符号の説明】
【００７２】
１    デジタルカメラ
２    ＣＰＵ
７    ＣＣＤ
１１    画像処理部
１３    液晶モニタ
１４    外部メモリ
１５    フラッシュメモリ
３１ａ〜３１ｅ    測光エリア
３２ａ〜３２ｅ    フォーカス検出エリア
３２ｃ〜３２ｅ    フォーカス検出エリア
４１    ヒストグラム
４１ａ〜４１ｅ    ヒストグラム
５１ａ〜５１ｃ    エリアマーク
１００    スルー画像
【図１】
2008236534.tif 000003
【図２】
2008236534.tif 000004
【図３】
2008236534.tif 000005
【図４】
2008236534.tif 000006
【図５】
2008236534.tif 000007
【図６】
2008236534.tif 000008
【図７】
2008236534.tif 000009